(57)【要約】【課題】遊技球がこぼれ落ちることなく投入装置を取り外すことができ、球止めレバーの戻し忘れによる二次的作業の発生を防止できる遊技機を提供する。【解決手段】取込ユニット１５３を取り外す際には、球止め機構１７０の球止めレバー１６０を不許可位置に変更操作することにより、取込ユニット１５３内への遊技球の流入（遊技球のこぼれ落ち）が抑止された状態で、取込ユニット１５３を取り外すことができる。また、取込ユニット１５３を正規に取り付けたが球止めレバー１６０を取込許可位置に戻し忘れた場合であっても、案内部材１９０は、遊技主要ブロック５を閉状態とする際に不許可位置の球止めレバー１６０に接触して当該球止めレバー１６０を取込許可位置に戻すように案内するので、戻し忘れた球止めレバー１６０を自動的に取込許可位置に復帰させることができ、取込ユニット１５３に遊技球が流入可能な状態に自動的に復帰できる。【選択図】図２０
2015006468.tif 000002
【特許請求の範囲】
【請求項１】
本体部材と、この本体部材の裏面側で当該本体部材に対して開閉可能に支持される扉部材と、を備えた遊技機において、
前記本体部材は、その裏面側において、所定数の遊技媒体を取り込む投入装置を着脱自在としたものであり、
さらに、前記本体部材は、前記投入装置への遊技媒体の流入の可否を操作する操作レバーを備え、かつ、前記操作レバーを取込許可位置とすることで前記投入装置に遊技媒体が流入可能な状態となり、かつ、前記操作レバーを不許可位置とすることで前記投入装置を取り外す際の前記投入装置への遊技媒体の流入を阻止する状態となる球止め手段を備え、
前記扉部材は、当該扉部材を閉状態とする際に前記不許可位置の前記操作レバーに接触して当該操作レバーを前記取込許可位置に戻すように案内する案内手段を備えている
ことを特徴とする遊技機。
【発明の詳細な説明】
【技術分野】
【０００１】
この発明は、遊技球を使用するパチンコ機、メダルまたは遊技球使用の回胴遊技機などの各種の遊技機に関する。
【背景技術】
【０００２】
従来、遊技機の代表例として例えば遊技球使用の回胴遊技機がある。この遊技球使用の回胴遊技機は、例えば、当該回胴遊技機の外殻を形成し遊技場（ホール）の遊技島に固定される外枠と、この外枠の正面視での左端側を開閉軸として当該外枠に対して開閉可能に支持され、後述する回動リールが視認可能な視認窓を備えた前面扉と、この前面扉の裏面側に当該前面扉に対して開閉可能の支持され、遊技者に大当たりの有無を知らせるための各種の図柄が表示されたリールを回動・停止する回動リール装置を備えた裏面側部材と、を備えている。
【０００３】
また、この遊技球使用の回胴遊技機は、所定個数の遊技球を投入装置により遊技機内に取り込むことにより遊技が可能な状態となる（例えば、特許文献１参照）。
【先行技術文献】
【特許文献】
【０００４】
【特許文献１】特開２００６−２０４４２５号公報（第１１頁，第３図）
【発明の概要】
【発明が解決しようとする課題】
【０００５】
しかしながら、このような構成を有する従来例の場合には、次のような問題がある。
すなわち、従来の遊技球使用の回胴遊技機では、例えば、前述の投入装置は、メンテナンスやトラブルなどを考慮し、取り外すことができるように構成されているものがあり、この投入装置を取り外す場合を考慮して、遊技球がこぼれ落ちないようにするために球止め機構が設けられたものがある。つまり、この球止め機構の球止めレバーを球止め位置に変更操作することにより、投入装置内への遊技球の流入（遊技球のこぼれ落ち）がこの球止め機構によって抑止され、遊技球がこぼれ落ちないようにして投入装置を取り外すことができるようになっているのであるが、投入装置を正規に取り付けたとしても球止めレバーを戻し忘れるというおそれがあった。また、このように球止めレバーの戻し忘れの状態では投入装置での遊技球の取り込みができず、当該取り込み不具合への対応が必要になるという二次的作業が生じるという問題がある。
【０００６】
本発明は、このような事情に鑑みてなされたものであって、遊技球がこぼれ落ちることなく投入装置を取り外すことができ、かつ、球止めレバーの戻し忘れによる二次的作業の発生を防止できる遊技機を提供することを目的とする。
【課題を解決するための手段】
【０００７】
この発明は、このような目的を達成するために、次のような構成をとる。
すなわち、請求項１に記載の発明は、
本体部材と、この本体部材の裏面側で当該本体部材に対して開閉可能に支持される扉部材と、を備えた遊技機において、
前記本体部材は、その裏面側において、所定数の遊技媒体を取り込む投入装置を着脱自在としたものであり、
さらに、前記本体部材は、前記投入装置への遊技媒体の流入の可否を操作する操作レバーを備え、かつ、前記操作レバーを取込許可位置とすることで前記投入装置に遊技媒体が流入可能な状態となり、かつ、前記操作レバーを不許可位置とすることで前記投入装置を取り外す際の前記投入装置への遊技媒体の流入を阻止する状態となる球止め手段を備え、
前記扉部材は、当該扉部材を閉状態とする際に前記不許可位置の前記操作レバーに接触して当該操作レバーを前記取込許可位置に戻すように案内する案内手段を備えている
ことを特徴とするものである。
【発明の効果】
【０００８】
この発明に係る遊技機によれば、投入装置を取り外す際には、球止め手段の操作レバーを不許可位置に変更操作することにより、投入装置内への遊技媒体の流入（遊技媒体のこぼれ落ち）がこの球止め手段によって抑止され、遊技媒体がこぼれ落ちないようにして投入装置を取り外すことができる。また、投入装置を正規に取り付けたが操作レバーを取込許可位置に戻し忘れた場合であっても、案内手段は、扉部材を閉状態とする際に不許可位置の操作レバーに接触して当該操作レバーを取込許可位置に戻すように案内するので、戻し忘れた操作レバーを自動的に取込許可位置に復帰させることができ、投入装置に遊技媒体が流入可能な状態に自動的に復帰できる。その結果、遊技媒体がこぼれ落ちることなく投入装置を取り外すことができ、かつ、操作レバーの戻し忘れによる二次的作業の発生を防止できる遊技機を提供することができる。
【図面の簡単な説明】
【０００９】
【図１】本発明の一実施の形態における遊技機の全体を示す斜視図である。
【図２】遊技機の正面図である。
【図３】遊技機の内部開放状態を示す斜視図である。
【図４】遊技機の内部開放状態を示す斜視図である。
【図５】遊技機の背面図である。
【図６】（ａ）は遊技機本体部を背面側から見た図、（ｂ），（ｃ）はドアブロックに対する遊技盤ブロックと払出ブロックの開放動作状況を示す図である。
【図７】ドアブロックを前方から見た分解斜視図である。
【図８】ドアブロック４を後方から見た分解斜視図である。
【図９】ドアブロックを構成する前扉体と背面枠とを分離してそれらを前方から見た斜視図である。
【図１０】ドアブロックを構成する前扉体と背面枠とを分離してそれらを後方から見た斜視図である。
【図１１】受皿ブロックの斜視図である。
【図１２】遊技盤ブロックの後方斜視図である。
【図１３】遊技盤ブロックの分解斜視図である。
【図１４】前面枠体およびベース板とリール装置との斜視図である。
【図１５】払出ブロックの斜視図である。
【図１６】払出ブロックの背面図である。
【図１７】カバー部材が開状態のときの払出ブロックの下部部分を前面側から見た一部破断斜視図である。
【図１８】カバー部材が閉状態のときの払出ブロックの下部部分を前面側から見た一部破断斜視図である。
【図１９】カバー部材が閉状態のときの一部破断断面図である。
【図２０】ドアブロックの球止めレバーを不許可位置としたままの状態で遊技主要ブロックを閉じることを示す部分斜視図である。
【図２１】（ａ）〜（ｄ）は遊技主要ブロックを閉じる際に不許可位置の球止めレバーがカバー部材に当接して取込許可位置に戻る様子を前方側と後方側とから見た要部斜視図である。
【図２２】図２１（ａ）の拡大斜視図である。
【図２３】図２１（ｂ）の拡大斜視図である。
【図２４】図２１（ｃ）の拡大斜視図である。
【図２５】図２１（ｄ）の拡大斜視図である。
【図２６】（ａ）〜（ｄ）は、遊技主要ブロックを閉じる際に不許可位置の球止めレバーがカバー部材に当接して取込許可位置に戻る様子を後方側から見た要部斜視図である。
【図２７】図２６（ａ）の拡大斜視図である。
【図２８】図２６（ｂ）の拡大斜視図である。
【図２９】図２６（ｃ）の拡大斜視図である。
【図３０】図２６（ｄ）の拡大斜視図である。
【図３１】（ａ）は球止めレバーを取込許可位置とするで流入規制体が後退した状態を示す図、（ｂ）は球止めレバーを不許可位置とすることで流入規制体が進出した状態を示す図である。
【図３２】変形例のカバー部材が閉状態のときの一部破断断面図である。
【発明を実施するための形態】
【００１０】
本明細書は、次のような遊技機に係る発明も開示している。
（０）  本体部材と、この本体部材の裏面側で当該本体部材に対して開閉可能に支持される扉部材と、を備えた遊技機において、
前記本体部材は、その裏面側において、所定数の遊技媒体を取り込む投入装置を着脱自在としたものであり、
さらに、前記本体部材は、前記投入装置への遊技媒体の流入の可否を操作する操作レバーを備え、かつ、前記操作レバーを取込許可位置とすることで前記投入装置に遊技媒体が流入可能な状態となり、かつ、前記操作レバーを不許可位置とすることで前記投入装置を取り外す際の前記投入装置への遊技媒体の流入を阻止する状態となる球止め手段を備え、
前記扉部材は、当該扉部材を閉状態とする際に前記不許可位置の前記操作レバーに接触して当該操作レバーを前記取込許可位置に戻すように案内する案内手段を備えている
ことを特徴とする遊技機。
【００１１】
前記（０）に記載の発明によれば、遊技機は、本体部材と、この本体部材の裏面側で当該本体部材に対して開閉可能に支持される扉部材とを備えている。そして、本体部材は、その裏面側において、所定数の遊技媒体を取り込む投入装置を着脱自在としたものである。さらに、前記本体部材の球止め手段は、投入装置への遊技媒体の流入の可否を操作する操作レバーを備え、この操作レバーを取込許可位置とすることで投入装置に遊技媒体が流入可能な状態となり、かつ、操作レバーを不許可位置とすることで投入装置を取り外す際の投入装置への遊技媒体の流入を阻止する状態となる。扉部材の案内手段は、当該扉部材を閉状態とする際に不許可位置の操作レバーに接触して当該操作レバーを取込許可位置に戻すように案内する。
【００１２】
したがって、投入装置を取り外す際には、球止め手段の操作レバーを不許可位置に変更操作することにより、投入装置内への遊技媒体の流入（遊技媒体のこぼれ落ち）がこの球止め手段によって抑止され、遊技媒体がこぼれ落ちないようにして投入装置を取り外すことができる。また、投入装置を正規に取り付けたが操作レバーを取込許可位置に戻し忘れた場合であっても、案内手段は、扉部材を閉状態とする際に不許可位置の操作レバーに接触して当該操作レバーを取込許可位置に戻すように案内するので、戻し忘れた操作レバーを自動的に取込許可位置に復帰させることができ、投入装置に遊技媒体が流入可能な状態に自動的に復帰できる。
【００１３】
その結果、遊技媒体がこぼれ落ちることなく投入装置を取り外すことができ、かつ、操作レバーの戻し忘れによる二次的作業の発生を防止できる遊技機を提供することができる。
【００１４】
（００）  本体枠と、この本体枠に対して開閉可能に支持される扉部材と、を備えた遊技機において、
前記扉部材は、その裏面側において、所定数の遊技媒体を取り込む投入装置を着脱自在としたものであり、
さらに、前記扉部材は、前記投入装置への遊技媒体の流入の可否を操作する操作レバーを備え、かつ、前記操作レバーを取込許可位置とすることで前記投入装置に遊技媒体が流入可能な状態となり、かつ、前記操作レバーを不許可位置とすることで前記投入装置を取り外す際の前記投入装置への遊技媒体の流入を阻止する状態となる球止め手段を備え、
前記本体枠は、前記扉部材を閉状態とする際に前記不許可位置の前記操作レバーに接触して当該操作レバーを前記取込許可位置に戻すように案内する案内手段を備えている
ことを特徴とする遊技機。
【００１５】
前記（００）に記載の発明によれば、遊技機は、本体枠と、この本体枠に対して開閉可能に支持される扉部材とを備えている。そして、扉部材は、その裏面側において、所定数の遊技媒体を取り込む投入装置を着脱自在としたものである。さらに、扉部材の球止め手段は、投入装置への遊技媒体の流入の可否を操作する操作レバーを備え、この操作レバーを取込許可位置とすることで投入装置に遊技媒体が流入可能な状態となり、かつ、操作レバーを不許可位置とすることで投入装置を取り外す際の投入装置への遊技媒体の流入を阻止する状態となる。本体枠の案内手段は、扉部材を閉状態とする際に不許可位置の操作レバーに接触して当該操作レバーを取込許可位置に戻すように案内する。
【００１６】
したがって、投入装置を取り外す際には、球止め手段の操作レバーを不許可位置に変更操作することにより、投入装置内への遊技媒体の流入（遊技媒体のこぼれ落ち）がこの球止め手段によって抑止され、遊技媒体がこぼれ落ちないようにして投入装置を取り外すことができる。また、投入装置を正規に取り付けたが操作レバーを取込許可位置に戻し忘れた場合であっても、案内手段は、扉部材を閉状態とする際に不許可位置の操作レバーに接触して当該操作レバーを取込許可位置に戻すように案内するので、戻し忘れた操作レバーを自動的に取込許可位置に復帰させることができ、投入装置に遊技媒体が流入可能な状態に自動的に復帰できる。
【００１７】
その結果、遊技媒体がこぼれ落ちることなく投入装置を取り外すことができ、かつ、操作レバーの戻し忘れによる二次的作業の発生を防止できる遊技機を提供することができる。
【００１８】
（１）  前記（０）または（００）に記載の遊技機において、
前記案内手段は、前記扉部材を閉状態とする際に前記不許可位置の前記操作レバーに接触して当該操作レバーを前記取込許可位置に戻すように案内する接触案内面を備えている
ことを特徴とする遊技機。
【００１９】
前記（１）に記載の発明によれば、扉部材を閉状態とする際に、不許可位置の操作レバーが案内手段の接触案内面に接触して当該操作レバーを取込許可位置に戻すように案内されるので、扉部材を閉状態とする際に、不許可位置の操作レバーを案内手段の接触案内面に接触させて取込許可位置に戻すように案内する構成を実現でき、操作レバーの戻し忘れによる二次的作業の発生を防止できる遊技機を提供することができる。
【００２０】
（２）  前記（１）に記載の遊技機において、
遊技に関する内部状態を可変設定する遊技設定操作手段と、前記遊技設定操作手段の少なくともその操作面を覆うカバー部材とを備え、
前記案内手段は、前記カバー部材に前記接触案内面を備えたものであり、前記扉部材を閉状態とする際に前記不許可位置の前記操作レバーに前記接触案内面が接触して当該操作レバーを前記取込許可位置に戻すように案内するものである
ことを特徴とする遊技機。
【００２１】
前記（２）に記載の発明によれば、遊技に関する内部状態を可変設定する遊技設定操作手段と、この遊技設定操作手段の少なくともその操作面を覆うカバー部材とを備えている。案内手段は、カバー部材に接触案内面を備えたものであり、扉部材を閉状態とする際に不許可位置の操作レバーに接触案内面が接触して当該操作レバーを取込許可位置に戻すように案内する。したがって、扉部材を閉状態とする際に、不許可位置の操作レバーが、遊技設定操作手段の操作面を覆うカバー部材の接触案内面に接触して当該操作レバーを取込許可位置に戻すように案内されるので、扉部材を閉状態とする際に不許可位置の操作レバーをカバー部材の接触案内面に接触させて取込許可位置に戻すように案内する構成を、遊技設定操作手段のカバー部材を利用して実現することができ、戻し忘れた操作レバーを復帰させる専用品を別途設けるなどの必要がなく、装置構成を複雑化させることなく簡易な構成で実現することができる。
【００２２】
（３）  前記（２）に記載の遊技機において、
前記遊技設定操作手段は、遊技者に対する遊技媒体の払出し率の設定を変更するための遊技設定キースイッチであり、
前記操作面は、前記遊技設定キースイッチのキー挿入面である
ことを特徴とする遊技機。
【００２３】
前記（３）に記載の発明によれば、扉部材を閉状態とする際に、不許可位置の操作レバーが、遊技設定キースイッチのキー挿入面を覆うカバー部材の接触案内面に接触して当該操作レバーを取込許可位置に戻すように案内されるので、扉部材を閉状態とする際に不許可位置の操作レバーをカバー部材の接触案内面に接触させて取込許可位置に戻すように案内する構成を、遊技設定キースイッチのカバー部材を利用して実現することができ、戻し忘れた操作レバーを復帰させる専用品を別途設けるなどの必要がなく、装置構成を複雑化させることなく簡易な構成で実現することができる。
【００２４】
また、遊技者に対する遊技媒体の払出し率の設定を変更するための遊技設定キースイッチのキー挿入面がカバー部材で覆われているので、このカバー部材を排除しない限り、キー挿入面にアクセスできないので、一定の不正抑止効果がある。さらに、遊技設定キースイッチのキー挿入面を、扉部材と対向する方向と直交または略直交する方向（例えば横向き）としているので、不正な操作キーを本体部材と扉部材との隙間（あるいは本体枠と扉部材との隙間）から挿入したとしても、その挿入方向（つまり扉部材の厚み方向）とは直交または略直交する方向に向くキー挿入面に向けて不正な操作キーを進めて遊技設定キースイッチに挿入することは困難である。その結果、遊技設定キースイッチに対する不正行為を困難とすることができる遊技機を提供することができる。
【００２５】
（４）  前記（３）に記載の遊技機において、
前記カバー部材は、前記扉部材が前記本体部材または前記本体枠に対して開いた状態において、前記遊技設定キースイッチに対して開閉自在となっており、
前記カバー部材の一部は、前記扉部材を閉状態とした状態において、前記取込許可位置の前記操作レバーに接触している
ことを特徴とする遊技機。
【００２６】
前記（４）に記載の発明によれば、カバー部材は、扉部材が前記本体部材または本体枠に対して開いた状態において、遊技設定キースイッチに対して開閉自在となっている。カバー部材の一部は、扉部材を閉状態とした状態において、取込許可位置の操作レバーに接触しているので、扉部材を閉状態とした状態において不正物を挿し入れてカバー部材を不正に開いた状態とするような不正行為を防止でき、不正抑止効果がある。
【００２７】
（５）  前記（４）に記載の遊技機において、
前記操作レバーは、正面視で長手形状であり、その基端側の所定箇所を回動軸心とし、前記基端側とは反対の先端側が前記回動軸心を中心として回動するように軸支されたものであり、前記不許可位置としての先端側が所定方向を向いた第１回動位置と、前記扉部材を閉状態とする際に前記カバー部材の前記接触案内面に接触することで前記第１回動位置から所定角度だけ先端側が回動した前記取込許可位置としての第２回動位置とに可変するものである
ことを特徴とする遊技機。
【００２８】
前記（５）に記載の発明によれば、操作レバーは、正面視で長手形状であり、その基端側の所定箇所を回動軸心とし、基端側とは反対の先端側が回動軸心を中心として回動するように軸支されたものであり、不許可位置としての先端側が所定方向を向いた第１回動位置と、扉部材を閉状態とする際にカバー部材の接触案内面に接触することで第１回動位置から所定角度だけ先端側が回動した取込許可位置としての第２回動位置とに可変するものである。したがって、扉部材を閉状態とする際に、不許可位置の操作レバーが、遊技設定キースイッチのキー挿入面を覆うカバー部材の接触案内面に接触して当該操作レバーを取込許可位置に戻すように回動案内されるので、扉部材を閉状態とする際に不許可位置の操作レバーをカバー部材の接触案内面に接触させて取込許可位置に戻すように回動案内する構成を、遊技設定キースイッチのカバー部材を利用して実現することができ、戻し忘れた操作レバーを復帰させる専用品を別途設けるなどの必要がなく、装置構成を複雑化させることなく簡易な構成で実現することができる。
【００２９】
（６）  前記（０）から（５）のいずれか一つに記載の遊技機において、
前記投入装置は、その上部に、遊技媒体が導入される導入通路部を備え、
前記投入装置の上部には、前記導入通路部が視認可能な透明カバーを備えている
ことを特徴とする遊技機。
【００３０】
前記（６）に記載の発明によれば、投入装置は、その上部に、遊技媒体が導入される導入通路部を備えている。投入装置の上部には、導入通路部が視認可能な透明カバーを備えている。したがって、投入装置の導入案内部の汚れ等を、透明カバーを通して目視確認できる。つまり、投入装置を取り外すことなく、当該投入装置の導入案内部を目視確認することができ、投入装置のメンテナンス時期を知ることができる。また、透明カバーを外すことで、投入装置の導入案内部を清掃することができる。
【００３１】
（７）  前記（３）に記載の遊技機において、
前記遊技設定キースイッチは、そのキー挿入面を、前記扉部材と対向する方向と直交または略直交する方向に向けるように設けられている
ことを特徴とするものである。
【００３２】
前記（７）に記載の発明によれば、遊技設定キースイッチのキー挿入面がカバー部材で覆われているので、このカバー部材を排除しない限り、キー挿入面にアクセスできないので、一定の不正抑止効果がある。さらに、遊技設定キースイッチのキー挿入面を、扉部材と対向する方向と直交または略直交する方向（例えば横向き）としているので、不正な操作キーを本体部材と扉部材との隙間（あるいは本体枠と扉部材との隙間）から挿入したとしても、その挿入方向（つまり扉部材の厚み方向）とは直交または略直交する方向に向くキー挿入面に向けて不正な操作キーを進めて遊技設定キースイッチに挿入することは困難である。その結果、遊技設定キースイッチに対する不正行為を困難とすることができる遊技機を提供することができる。
【００３３】
（８）  前記（７）に記載の遊技機において、
前記カバー部材は、前記キー挿入面から、前記遊技設定キースイッチに挿入されるキーのキー長さよりも短い外部位置に壁部材を備えたものである
ことを特徴とする遊技機。
【００３４】
前記（８）に記載の発明によれば、カバー部材は、遊技設定キースイッチのキー挿入面から、当該遊技設定キースイッチに挿入されるキーのキー長さよりも短い外部位置に壁部材を備えているので、この壁部材を排除しない限り、キー挿入面にアクセスできないので、一定の不正抑止効果がある。
【００３５】
（９）  前記（８）に記載の遊技機において、
前記カバー部材は、前記キー挿入面から、前記遊技設定キースイッチに挿入されるキーのキー長さよりも長い外部位置に、前記壁部材とは異なる離隔壁部材をさらに備えたものである
ことを特徴とする遊技機。
【００３６】
前記（９）に記載の発明によれば、カバー部材は、遊技設定キースイッチのキー挿入面から、当該遊技設定キースイッチに挿入されるキーのキー長さよりも長い外部位置に、壁部材とは異なる離隔壁部材をさらに備えているので、この離隔壁部材を排除し、かつ、キー挿入面に近い壁部材を排除しない限り、キー挿入面にアクセスできないので、さらなる不正抑止効果がある。
【００３７】
（１０）  前記（９）に記載の遊技機において、
前記カバー部材は、前記壁部材と前記離隔壁部材との間に、単一または複数枚の区画壁部材が形成されている
ことを特徴とする遊技機。
【００３８】
前記（１０）に記載の発明によれば、カバー部材は、壁部材と離隔壁部材との間に、単一または複数枚の区画壁部材が形成されているので、キー挿入面に近い壁部材と、それから離れた離隔壁部材と、単一または複数枚の区画壁部材とを排除しない限り、キー挿入面にアクセスできないし、これらの壁部材の排除が非常に手間であるので、さらなる不正抑止効果がある。
【００３９】
（１１）  前記（１０）に記載の遊技機において、
前記カバー部材は、前記壁部材と前記離隔壁部材と前記区画壁部材とについて隣接間隔を、前記キーのキー長さよりも短い間隔としている
ことを特徴とする遊技機。
【００４０】
前記（１１）に記載の発明によれば、カバー部材は、壁部材と離隔壁部材と区画壁部材とについて隣接間隔を、キーのキー長さよりも短い間隔としている。つまり、隣接する壁部材と区画壁部材との間隔や、隣接する区画壁部材同士の間隔や、隣接する区画壁部材と離隔壁部材との間隔をキーのキー長さよりも短い間隔としているので、壁部材と区画壁部材と離隔壁部材との全てを排除しない限り、キー挿入面にアクセスできないし、これらの壁部材の排除が非常に手間であるので、さらなる不正抑止効果がある。
【００４１】
（１２）  前記（７）から（１１）のいずれか一つに記載の遊技機において、
前記カバー部材の前記壁部材は、その所定箇所であって、かつ、前記キー挿入面のキー孔が平行投影される箇所に少なくともリブが形成されている
ことを特徴とする遊技機。
【００４２】
前記（１２）に記載の発明によれば、カバー部材の壁部材は、その所定箇所であって、かつ、キー挿入面のキー孔が平行投影される箇所に少なくともリブが形成されているので、単に平板状の壁部材とした場合に比べてリブを有する分だけ強度をもたせることができる。つまり、熱した鉄線等を用いて壁部材でのキー挿入面箇所を熱で溶かそうとしても、リブが存在する分だけ溶かすのに時間がかかるし、何らかの部材を押し当てて破壊しようとしても、リブが存在することで簡単には壊れないようにでき、キー挿入面に近い壁部材を排除するのに非常に手間がかかり、キー挿入面にアクセスし辛くなるので、さらなる不正抑止効果がある。
【００４３】
（１３）  前記（９）から（１１）のいずれか一つに記載の遊技機において、
前記離隔壁部材または前記区画壁部材は、その所定箇所であって、かつ、前記キー挿入面のキー孔が平行投影される箇所に少なくともリブが形成されている
ことを特徴とする遊技機。
【００４４】
前記（１３）に記載の発明によれば、カバー部材の離隔壁部材または区画壁部材は、その所定箇所であって、かつ、キー挿入面のキー孔が平行投影される箇所に少なくともリブが形成されているので、単に平板状の離隔壁部材または区画壁部材とした場合に比べてリブを有する分だけ強度をもたせることができる。つまり、熱した鉄線等を用いて離隔壁部材または区画壁部材でのキー挿入面に対応する箇所を熱で溶かそうとしても、リブが存在する分だけ溶かすのに時間がかかるし、何らかの部材を押し当てて破壊しようとしても、リブが存在することで簡単には壊れないようにでき、離隔壁部材または区画壁部材を排除するのに非常に手間がかかり、キー挿入面にアクセスし辛くなるので、さらなる不正抑止効果がある。
【００４５】
なお、本明細書は、次の（１４）のような遊技機に係る発明も開示している。
【００４６】
つまり、所定数の遊技媒体を取り込む投入装置は不正行為者によって不正行為がされるおそれのある装置であり、投入装置の不正対策を図ることも課題としている。
【００４７】
（１４）  前記（０）に記載の遊技機、または、前記（１）から（１３）のいずれか一つに記載の遊技機において、
前記扉部材は、前記本体部材の裏面側の前記投入装置を少なくとも覆うものであることを特徴とする遊技機。
【００４８】
前記（１４）に記載の発明によれば、扉部材は、本体部材の裏面側の投入装置を少なくとも覆っているので、不正行為者は投入装置に直接に触れることができず、投入装置への不正行為を低減することができる。
【００４９】
（１５）  前記（０）から（１４）のいずれか一つに記載の遊技機において、
前記遊技機はパチンコ機であることを特徴とする遊技機。
【００５０】
前記（１５）に記載の遊技機によれば、遊技媒体がこぼれ落ちることなく投入装置を取り外すことができ、かつ、操作レバーの戻し忘れによる二次的作業の発生を防止できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００５１】
（１６）  前記（０）から（１４）のいずれか一つに記載の遊技機において、
前記遊技機はスロットマシンであることを特徴とする遊技機。
【００５２】
前記（１６）に記載の遊技機によれば、遊技媒体がこぼれ落ちることなく投入装置を取り外すことができ、かつ、操作レバーの戻し忘れによる二次的作業の発生を防止できるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００５３】
（１７）  前記（０）から（１４）のいずれか一つに記載の遊技機において、
前記遊技機はパチンコ機とスロットマシンとを融合させたものであることを特徴とする遊技機。
【００５４】
前記（１７）に記載の遊技機によれば、遊技媒体がこぼれ落ちることなく投入装置を取り外すことができ、かつ、操作レバーの戻し忘れによる二次的作業の発生を防止できる、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【００５５】
（１８）  前記（０）から（１４）のいずれか一つに記載の遊技機において、
前記遊技機は、遊技者による始動操作に基づいて、複数の図柄を外周面に付した回転体の回転を開始させることで図柄の可変表示を開始し、前記回転体の回転停止時の図柄表示態様が所定の表示態様である場合に遊技球の払い出しが行われることを特徴とする遊技球使用の回胴遊技機。
【００５６】
前記（１８）に記載の遊技機によれば、遊技媒体がこぼれ落ちることなく投入装置を取り外すことができ、かつ、操作レバーの戻し忘れによる二次的作業の発生を防止できる、遊技球使用の回胴遊技機を提供できる。
【００５７】
以下に、本発明の遊技機（例えば、遊技球を遊技媒体として用いて遊技を行う、遊技球使用回胴遊技機）の実施の形態を、図面に基づいて詳細に説明する。
【００５８】
実施例の遊技機を、図面に基づいて詳細に説明する。実施例の遊技機１は、遊技に際して所定数の遊技媒体（遊技価値）としての遊技球（例えばパチンコ機と同様の遊技球：パチンコ球）の取込を必要とし、所定条件が成立した場合には複数の遊技球、場合によっては大量の遊技球が払い出されるよう構成されている遊技球使用の回胴遊技機である。本遊技機１には、遊技ホール等においてパチンコ機と共通の遊技球供給システムから遊技球の供給がなされるようになっており、パチンコ機が設置される既存の島設備（パチンコ島）に本遊技機を設置することが可能となっている。つまり、上記のパチンコ機用の島設備を特段に変更することなく、当該島設備に設置されていたパチンコ機に替えて、本遊技機１（遊技球使用の回胴遊技機）を設置することができる。
【００５９】
まず、遊技機１の外観構成及び内部構造の概略を説明する。ここで、図１は遊技機１の全体を示す斜視図、図２は遊技機１の正面図、図３は及び図４は遊技機１の内部開放状態を示す斜視図、図５は遊技機１の背面図である。なお以下の説明においては、特に注記しない限りは、遊技機１の正面から見た状態を基準として左右上下などの方向を記載することとする。
【００６０】
遊技機１は、図１，３に示すように、本体枠としての外枠２と、この外枠２に対して前方に片開き可能に取り付けられた遊技機本体部３とを有する。
【００６１】
外枠２は、図１〜３に示すように、木製の板材を四辺に連結し構成されるものであって、全体として矩形状をなしている。本遊技機１を遊技ホールに設置する際には、外枠２が島設備に取り付け固定される。なお、外枠２を合成樹脂やアルミニウム等の金属によって構成することも可能である。図３等では隠れて図示されていないが、外枠２を構成する四辺の板材のうち右辺の板材には、その内側上下２箇所に、後述するドアブロック４に設けた施錠装置１２０（鉤金具１２３等を備える）を係止するための鉤受け部（図示省略）が設けられている。
【００６２】
遊技機本体部３は、図４に示すように、扉体ユニットであるドアブロック４と、このドアブロック４の背面側に設けられた遊技主要ブロック５とに大別される。以下に、ドアブロック４と遊技主要ブロック５とをその順に説明する。
【００６３】
図４に示すように、ドアブロック４には上下２箇所にヒンジ金具８が設けられており、このヒンジ金具８と外枠２側の上下２箇所の支持金具９とにより、ドアブロック４（遊技機本体部３）が外枠２に対して開閉可能に支持されている。この場合、遊技機１を正面から見て左側に開閉軸線が設けられる構成となっており、遊技機本体部３は正面から見て右側を開閉先端部として開放される。外枠２に対して遊技機本体部３が閉じた状態では、ドアブロック４の外周縁部の背面が外枠２の前面に当接するようになっている。
【００６４】
また、図４に示すように、ドアブロック４は、その背面側下部に、球受皿ユニットである受皿ブロック１０が着脱可能に取り付けられている。
【００６５】
続いて、遊技主要ブロック５について説明する。この遊技主要ブロック５は、図４に示すように、絵柄表示ユニットである遊技盤ブロック６と、遊技球の払出ユニットである払出ブロック７とから構成されている。
【００６６】
具体的には、遊技盤ブロック６は、図４に示すように、ドアブロック４の背面側において受皿ブロック１０の上方で片開き自在に取り付けられ、更に遊技盤ブロック６の背面側を覆うようにして払出ブロック７が取り付けられている。この遊技盤ブロック６と払出ブロック７とは、ドアブロック４の一端側（背面視で右端側）を開閉軸としてそれぞれ片開き自在に支持されている。つまり、遊技主要ブロック５（遊技盤ブロック６と払出ブロック７とからなる）は、外枠２に対してドアブロック４と一体で片開き自在となるとともに、ドアブロック４に対して遊技盤ブロック６と払出ブロック７とが各々個別に片開き自在となる構造を有する。
【００６７】
また、図３，図５に示すように、払出ブロック７は、その背面側下部に、払出制御装置１５７と電源装置１５６とが当該背面視で左から順に横並びに取り付けられている。
【００６８】
詳しくは、電源装置１５６は、電源基板（図示省略）と、この電源基板を収容する基板ボックス１５６ａとを備えている。この基板ボックス１５６ａは、例えば合成樹脂材料にて成形されており、特に内部（電源基板）を視認可能とすべく透明ボックスとされている。
【００６９】
また、払出制御装置１５７は、払出制御基板（図示省略）と、この払出制御基板を収容する基板ボックス１５７ａとを備えている。この基板ボックス１５７ａは、例えば合成樹脂材料にて成形されており、特に内部（払出制御基板）を視認可能とすべく透明ボックスとされている。
【００７０】
ここで、遊技機本体部３を構成する上記の各部材について相対的な位置関係と動作状態を簡単に説明する。図６は遊技機本体部３を模式的に示す図面であり、図６（ａ）は遊技機本体部３を背面側から見た図、図６（ｂ），（ｃ）はドアブロック４に対する遊技盤ブロック６と払出ブロック７の開放動作状況を示す図である。
【００７１】
図６（ａ）に示すように、ドアブロック４に対して遊技盤ブロック６や払出ブロック７を開放動作させるための軸線ＡＸ１は図の右側（正面から見ると左側）に設けられている。この軸線ＡＸ１は、遊技盤ブロック６を支持するための軸線と払出ブロック７を支持するための軸線とを兼ねるものとなっている。この場合、図示のＭ１，Ｍ２は遊技盤ブロック６を支持するための支持手段であり、Ｍ３，Ｍ４は払出ブロック７を支持するための支持手段である。つまり、遊技盤ブロック６用の支持手段Ｍ１，Ｍ２は同軸で上下一対に設けられている。また、払出ブロック７用の支持手段Ｍ３，Ｍ４は、支持手段Ｍ１，Ｍ２を挟むようにして同軸で上下一対に設けられており、更に支持手段Ｍ１，Ｍ２に対しても同軸となっている。
【００７２】
上記構成により、図６（ｂ），（ｃ）の各動作が可能となっている。図６（ｂ）では、ドアブロック４に対して遊技盤ブロック６と払出ブロック７とを一体的に開放動作させている。また、図６（ｃ）では、図６（ｂ）の状態から遊技盤ブロック６に対して払出ブロック７を開放動作させている。つまり、ドアブロック４に対して遊技盤ブロック６を閉じた状態では、払出ブロック７を遊技盤ブロック６に閉じた状態で止めているレバーにアクセスできないことから、ドアブロック４に対して遊技盤ブロック６を開いた状態にしなければ、払出ブロック７を開放動作できないようになっている。
【００７３】
（ドアブロック４の説明）
次に、ドアブロック４を、図７〜図１１を用いて詳細に説明する。ここで、図７，図８は、ドアブロック４を前方及び後方から見たそれぞれの分解斜視図である。また、図９，図１０は、ドアブロック４を構成する前扉体１１と背面枠１２とを分離してそれらを前方から及び後方から見た斜視図である。図１１は受皿ブロック１０の斜視図である。
【００７４】
ドアブロック４において、前扉体１１は、外枠２とほぼ同等の大きさ（縦寸法及び横寸法）を有し、その背面側に重なるようにして背面枠１２が取り付けられている。背面枠１２は、例えばアルミダイキャストにて成形されており、前扉体１１を補強する役目を有する他、遊技主要ブロック５（遊技盤ブロック６と払出ブロック７とからなる）を支持する役目を有するものである。
【００７５】
（前扉体１１の説明）
前扉体１１は、図１に示すように、後述するリール図柄や液晶図柄等を視認可能とする図柄視認部（視認窓２１）と、遊技に際し遊技者により手動操作される操作部３０と、上皿部１５１で余剰となった遊技球などを貯留するための下皿７１とを備える。
【００７６】
すなわち、図９等に示すように、前扉体１１の上半部には、図柄視認部として略台形状をなす視認窓２１が形成されている。この視認窓２１には、平坦な透明板よりなる透明パネル２２がはめ込まれており、この透明パネル２２を介してその内方が視認可能となっている。透明パネル２２は、後述する液晶表示装置（図１３に示す液晶表示装置５０４）の前面と、後述するリール装置（図１３に示すリール装置５０３）の前面とを覆うものであり、この透明パネル２２を介して液晶表示装置５０４（図１３参照）の表示画像やリール装置５０３（図１３参照）の図柄が視認される。
【００７７】
こうした比較的大型に構成される視認窓２１（透明パネル２２）によれば、大型の液晶表示装置を用いた画像の表示演出によって遊技者に多大なインパクトを与えることが可能になることに加え、本遊技機１の主表示装置たるリール装置５０３（図１３参照）の図柄の視認性が良好なものとなっている。
【００７８】
前扉体１１の周縁部には、視認窓２１を略囲むようにして、中央ランプ部２４と左右一対の側方ランプ部２５とが設けられるとともに、前扉体１１の右上隅部及び左上隅部にスピーカ部２６が設けられている。遊技に際しては、これらランプ部２４，２５やスピーカ部２６により、その都度の遊技状況に応じたランプ演出や音声演出等が行われる。すなわち、ランプ部２４，２５による発光色や発光パターンを適宜変更したり、スピーカ部２６による音声パターンを適宜変質したりすることで、役の成立等が遊技者に告知される。また、このランプ部２４，２５やスピーカ部２６を用いて、エラー告知等を行うことも可能である。
【００７９】
ちなみに、視認窓２１は、前扉体１１の左右幅に対して左右の側方ランプ部２５を除く範囲で設けられており、故に視認窓２１は左右に幅広いものとなっている。また言い加えると、視認窓２１は、後述するリール装置５０３（図１３参照）や液晶表示装置５０４（図１３参照）の横幅よりも幅広となっている。
【００８０】
視認窓２１の下方には、遊技者により操作される各種操作部材等を配備した操作部３０が設けられている。この操作部３０は、全体として横長状をなしかつ僅かに弧状をなす前面板部３１を有し、その前面板部３１には、スタートレバー３３が設けられるとともに、３連ボタンからなるストップスイッチ３５，３６，３７が設けられている。また、前面板部３１の上端部に位置するように、向かって左寄りの位置（概ねスタートレバー３３と左側のストップスイッチ３５との間）にベットスイッチ取付板部３２が形成されており、その取付板部３２にボタン状のベットスイッチ３８が取り付けられている。
【００８１】
ベットスイッチ３８は、遊技者によるベット（賭け数）の設定を行わせるものであり、その押し操作により上皿１５１に貯留された遊技球が所定個数分取り込まれる。本実施の形態では、ベットスイッチ３８として、いわゆるＭＡＸベットスイッチを設けており、有効な１回の押し操作により３ベット相当（１５個分）の遊技球が取り込まれる。ベットスイッチ３８は、投資価値としての遊技球の投入を指令する投入指令手段を構成する。なお、ＭＡＸベットスイッチとしてのベットスイッチ３８の他に、本遊技機１では、視認窓２１（透明パネル２２）と操作部３０との間に、左右方向に延びる長板状のサブパネル部５０が設けられており、このサブパネル部５０に１ベットスイッチ５５を備えている。１ベットスイッチ５５は、１回の押し操作により１ベット相当（５個分）の遊技球を取り込ませるためのベットスイッチである。また、２ベットスイッチを設ける構成としても良い。ちなみに、２ベットスイッチは、１回の押し操作により２ベット相当（１０個分）の遊技球を取り込ませるためのベットスイッチである。なお、これらの１ベットスイッチ５５や２ベットスイッチを備えない構成としてもよい。
【００８２】
スタートレバー３３は、後述するリール装置５０３（図１３参照）の各リール（回転体）を回転開始させるための操作部材であり、各リールを回転開始、すなわち図柄の可変表示を開始させるべく操作される始動操作手段を構成する。
【００８３】
ストップスイッチ３５〜３７は、停止対象となるリール（左、中、右の三列のリール）に対応するよう設けられており、回転中の各リールを個別に停止させるために操作される停止操作手段を構成する。各ストップスイッチ３５〜３７は、各リールが定速回転となると停止させることが可能な状態となり、かかる状態中には図示しないランプが点灯表示されることによって停止操作が可能であることが報知され、各リールの回転が停止すると消灯されるようになっている。
【００８４】
操作部３０の後方には、図７，図９に示すように、前面板部３１とほぼ同じ長さを有し上方に開口した横長状の開口部４１が形成されている。この開口部４１は、前扉体１１に受皿ブロック１０を装着した場合に上皿１５１を配するための開口領域であり，開口部４１の左右方向の幅寸法は上皿１５１の左右方向の幅寸法に概ね合致し、開口部４１の前後方向の幅寸法は上皿１５１の前後方向の幅寸法よりも若干短いものとなっている。
【００８５】
操作部３０の前面板部３１には、図７，図９に示すように、正面から見て右下部に切欠部４２が形成されている。この切欠部４２は、排出操作伝達装置（図示省略）の操作レバー１８８（図２参照）を設置するための設置スペースとなっている。
【００８６】
また、図１，図１１に示すように、受皿ブロック１０の右側上面部分には、貸球操作部５２が設けられている。貸球操作部５２は、例えば本遊技機１の側方（例えば左方）に配置された縦長のカードユニット（球貸しユニット）に紙幣やカード等を投入した状態で、球貸し操作、カード等の返却操作及び有効度数の確認を行うものであり、球貸しボタン５６と返却ボタン５７と度数表示部５８とが一体的に並設されている。この場合、球貸しボタン５６は、カード（記録媒体）等に記録された情報に基づいて貸出球を得るために操作されるものであり、カード等に残額が存在する限りにおいて貸出球が払い出される。返却ボタン５７は、カードユニットに挿入されたカード等の返却を求める際に操作される。度数表示部５８はカード等の残額情報を表示するものである。
【００８７】
さらに、サブパネル部５０は、図２に示すように、例えば２個の演出切換ボタン５９ａ，５９ｂとを備えている。例えば、遊技者が演出切換ボタン５９ａを選択すると、第１種類の演出表示などが行われ、演出切換ボタン５９ｂを選択すると、第２種類の演出表示などが行われるようになっている。
【００８８】
前扉体１１において、情報表示部５１や貸球繰作部５２の左右の側方部には、奥側に後退するようにして弧状の凹み部６１が設けられており、その凹み部６１には、外枠２に対する遊技機本体部３の施錠及び解錠を行うための施錠装置１２０の後述する背面枠１２に設けたキーシリンダ錠１２５の前面側を露出して収納されるためのキーシリンダ設置穴６２（図９参照）が設置されている。
【００８９】
図１等で確認できるとおり左右の凹み部６１は、上皿１５１の両側で直ぐ上方に位置する。そのため、仮に遊技ホールにおいて球貸しユニットから延びる球貸しノズル（いわゆる象の鼻）を介して上皿１５１に遊技球が貸し出されるような場合にも、その球貸しノズルと前扉体１１との干渉を回避することができる。故に、遊技ホールでの設置状況を考えても有益な構成となっている。
【００９０】
更に、図１に示すように、前扉体１１において、操作部３０の下方には、凹部６１に連続するようにして膨出部７０が形成されており、その膨出部７０に囲まれるようにして下皿７１と灰皿７２が形成されている。図９に示すように、膨出部７０に囲まれた奥壁部７３には、下皿排出口７４とスピーカ穴７５とが形成されている。上皿１５１やその上流通路に遊技球が満タンに貯留されている状態であって更に払出装置（後述する図１６の払出装置６０８）から遊技球が払い出される場合、或いは、上皿１５１内に貯留されている遊技球に対して球抜き操作が行われる場合には、下皿排出口７４を介して下皿７１に遊技球が排出される。
【００９１】
図９に示すように、下皿７１の底部には開口が形成されており、その開口には開閉板７６が設けられている。また、膨出部７０の略中央部には下皿用の球抜き操作片７７が設けられている。球抜き操作片７７は、下皿７１に貯留している遊技球を下皿７１の下方に置かれた球収容箱（いわゆるドル箱）に排出するための操作片であり、図示する通常位置から左方に操作されることで開閉板７６が開位置にスライド移動し、下皿７１内の遊技球の排出が行われる。その他、膨出部７０において下皿７１の左右両側方には下皿ランプ部７８が設けられている。
【００９２】
図１０に示すように、前扉体１１の背面側の構成として、視認窓２１の左右両側には側方ランプ部２５を収容するランプ収容部９１が設けられている。
【００９３】
ここで透明パネル２２の取り付け手順を説明する。視認窓２１の下縁部にはパネル厚み分の幅でパネル受溝９３が形成されている。透明パネル２２は、前扉体１１の後方から、その下端部がパネル受溝９３に嵌め込まれるとともに、その上端部が前扉体１１の背面部に当接される。そしてその状態で、透明パネル２２の前扉体１１への取り付けが完了する。
【００９４】
（背面枠１２の説明）
図９や図１０に示すように、背面枠１２は、前扉体１１と略相似形をなす矩形状をなしており、概ね等しい細幅の左枠部１０１、右枠部１０２及び上枠部１０３と、それらよりも広幅の下枠部１０４とを有する。これら各枠部１０１〜１０４に囲まれる部位が中央開口部１０５となっており、背面枠１２の背面側には、下枠部１０４の上縁部の一部を除く範囲で中央開口部１０５を囲むようにして一定高さのリブ１０６が形成されている。また、背面枠１２において、外周縁部には前方に直角に折れ曲がった返し部１０７（図９，図１０参照）が形成されている。前扉体１１に対して背面枠１２を組み付けた際には、返し部１０７は前扉体１１の外縁部の内側に重なり、それによって前扉体１１と背面枠１２との間に空間が形成される。そしてこの空間を利用してランプ装置等が配設されるようになっている。
【００９５】
前述したように本遊技機１は、正面から見て左側に開閉軸線が設けられる構成となっており、上枠部１０３と下枠部１０４には前述のヒンジ金具８が上下２箇所に取り付けられている。
【００９６】
また、左枠部１０１には、リブ１０６の先端部から後方に延びるようにして上下一対の軸金具１１０，１１１が所定間隔を隔てて取り付けられている。この軸金具１１０，１１１は、遊技盤ブロック６や払出ブロック７を回動可能に支持するための金具部材である。軸金具１１０，１１１は共に略コ字状をなしており、軸金具１１０には上下に軸受け部１１０ａ，１１０ｂが形成され、軸金具１１１には上下に軸受け部１１１ａ，１１１ｂが形成されている。これら軸金具１１０，１１１の各軸受け部１１０ａ，１１０ｂ，１１１ａ，１１１ｂには軸孔が形成されており、軸金具１１０，１１１は全ての軸孔が何れも同一の軸線上に配置されるようリブ１０６に固定されている。
【００９７】
かかる場合、軸金具１１０の下側の軸受け部１１０ｂと軸金具１１１の上側の軸受け部１１１ａとが遊技盤ブロック６を支持するための遊技盤ブロック支持手段（図６（ａ）の支持手段Ｍ１，Ｍ２）に相当し、軸金具１１０の上側の軸受け部１１０ａと軸金具１１１の下側の軸受け部１１１ｂと払出ブロック７を支持するための払出ブロック支持手段（図６（ａ）の支持手段Ｍ３，Ｍ４）に相当する。
【００９８】
また、右枠部１０２には、図９，図１０に示すように、ドアブロック４と遊技主要ブロック５とを個別に開放不能な施錠状態で保持するための施錠装置１２０が設けられている。
【００９９】
下枠部１０４には、図９，図１０に示すように、前扉体１１に設けた下皿排出口７４に連通する連通口１３１が設けられるとともに、スピーカ穴７５から前方に露出するスピーカ１３２が設けられている。
【０１００】
背面枠１２の背面側には、遊技主要ブロック５の固定手段、つまり、操作キーを反時計周りに回動操作にかかわらず遊技主要ブロック５のドアブロック４への固定を維持するための後述するロック部材６２７（図３参照）が係止する鉤金具１３７が設けられている。
【０１０１】
背面枠１２は、前扉体１１に対してネジ等の締結具を用いて取り付け固定される。
【０１０２】
（受皿ブロック１０の説明）
次に、受皿ブロック１０について説明する。受皿ブロック１０は、図１１に示すように、順次に取打込まれる遊技球を一時的に貯留する機能を有する上皿１５１と、払出装置（後述する図１６の払出装置６０８）などから供給される遊技球を上皿１５１や下皿７１などに流通させる機能を有する球通路形成体１５２と、遊技球の取込機能を有する取込ユニット１５３（図７参照）とを備えるものである。
【０１０３】
（受皿ブロック１０としての動作説明）
上記の如く構成される受皿ブロック１０において、上皿１５１に多数の遊技球が貯留されている状態では、遊技球は上皿１５１の最下流部での三列に分岐した案内通路（図示省略）で各一列に整列され、その整列状態での遊技球が取込ユニット１５３の三個の取込装置（図示省略）で並列的に取り込まれる。この取り込まれた遊技球は、所定通路で流れて外部（遊技ホールの島設備）に排出される。また、遊技球排出時（球抜き時）には、遊技球が、三個の取込装置（図示省略）の排出通路に流れて最終的に下皿７１に排出される。
【０１０４】
一方、後述する図１６の払出装置６０８等から遊技球分配部材（図示省略）に遊技球が供給されると、この遊技球分配部材（図示省略）に設けられた各通路（図示省略）による振り分けによって、遊技球が上皿１５１、下皿排出通路（図示省略）、外部排出通路（図示省略）のいずれかに分配される。
【０１０５】
（遊技盤ブロック６の説明）
次に、遊技盤ブロック６について図１２〜図１５を用いて説明する。図１２は遊技盤ブロック６の後方斜視図である。図１３は遊技盤ブロック６の分解斜視図である。図１４は、前面枠体５０１およびベース板５０２とリール装置５０３との斜視図である。
【０１０６】
遊技盤ブロック６は、図１２，図１３に示すように、合成樹脂製の前面枠体５０１と、この前面枠体５０１の背面側に取り付けられる金属製のベース板５０２と、図柄表示装置としてのリール装置５０３と、補助演出装置としての液晶表示装置５０４と、遊技に関わる主たる各種制御を実施する主制御装置５０５と、主制御装置５０５からの指令に基づく従たる表示制御等を実施するサブ制御装置５０６とを備えている。この場合、遊技盤ブロック６は、本遊技機１の遊技内容を決定する主要部品を全て備える構成となっており、仮に遊技ホール等において機種入替を行う場合には、この遊技盤ブロック６を現機種のものから新たな機種のものに入れ替えることで機種入替を行うことができるようになっている。すなわち、遊技盤ブロック６は機種入替時などにおける交換ユニットとなっている。
【０１０７】
（前面枠体５０１の説明）
前面枠体５０１は、いずれも横長の矩形状をなす上下２つの開口が設けられており、それぞれ上側表示窓５１３、下側表示窓５１４となっている。上側表示窓５１３は、液晶表示装置５０４による表示画像を表示するための液晶画像表示部に相当し、下側表示窓５１４は、リール装置５０３の外周に付されたリール図柄を表示するためのリール図柄表示部に相当する。
【０１０８】
遊技盤ブロック６をドアブロック４に装着した状態を想定すると、上側表示窓５１３の周囲部分は透明パネル２２の上側パネル面２２ａと同様にはほぼ鉛直方向に設けられ、下側表示窓５１４の周囲部分は、同透明パネル２２の下側パネル面２２ｂと同様に若干上方を向くようにして設けられることとなる。
【０１０９】
（ベース板５０２の説明）
ベース板５０２は、前面枠体５０１とほぼ同じ大きさを有している。このべ一ス板５０２には、各々矩形状をなす上下２つの開口部（上側開口部５２１，下側開口部５２２）が形成されている。このうち、上側開口部５２１は液晶表示装置５０４を装着するための開口であり、下側開口部５２２はリール装置５０３を装着するための開口である。そして、ベース板５０２は、各開口部５２１，５２２の側方部位で前面枠体５０１への取り付けが行われる。なお、各開口部５２１，５２２は、前面枠体５０１の各表示窓５１３，５１４にそれぞれ対応して設けられており、各表示窓５１３，５１４よりも一回り大きいものとなっている。
【０１１０】
ベース板５０２の背面側において左右両縁部にはそれぞれ角柱状の柱部５３１，５３２が取り付けられている。そのうち、背面側から見て右側の柱部５３１には支持金具５３３が取り付けられている。支持金具５３３には上下一対の支軸５３４ａ，５３４ｂが設けられている。支持金具５３３の支軸５３４ａ，５３４ｂは、遊技盤ブロック６をドアブロック４に回動可能に支持するための支持手段を構成するものであり、この支軸５３４ａ，５３４ｂがドアブロック４に設けられた軸金具１１０，１１１の軸受け部１１０ｂ，１１１ａの軸孔（図８等参照）に差し入れられるようになっている。なお、ドアブロック４側の軸受け部１１０ｂ，１１１ａと遊技盤ブロック６側の支軸５３４ａ，５３４ｂとが図６に示す「遊技盤ブロック６用の支持手段Ｍ１，Ｍ２」に相当する。
【０１１１】
（リール装置５０３の説明）
リール装置５０３は、金属製のケース部材５４０と、そのケース部材５４０に収容される左・中・右の３つのリール５４１，５４２，５４３とを具備している。ケース部材５４０は、その内部に３つのリール５４１〜５４３を回転可能に収容し、かつ、リール５４１〜５４３の一部を前方に現出させるものとなっている。ケース部材５４０において上面部の前側端部には、上方に折り曲げて形一成された支持固定部５４５が設けられ、下面部の前側端部には、下方に折り曲げて形成された支持固定部５４６が設けられている。これら支持固定部５４５，５４６は、リール装置５０３をベース板５０２に取り付けるための取付手段を構成するものである。
【０１１２】
支持固定部５４５，５４６にはそれぞれ左右２カ所に孔部５４５ａ，５４６ａが設けられており、本リール装置５０３のベース板５０２への取り付け固定は、各孔部５４５ａ，５４６ａに挿通させたネジをベース板５０２のネジ穴にネジ止めさせることにより行われている。
【０１１３】
各リール５４１〜５４３の構成について周知であり、ここでは詳細な図示を省略するが、その構成を簡単に説明する。各リール５４１〜５４３は、円筒状のかごを形成する円筒骨格部材と、その外周に巻回された帯状のベルトとを備えている。ベルトの外周面には、識別情報としての図柄が等間隔ごとに多数印刷されている（例えば２１図柄）。各リール５４１〜５４３の中央部には、駆動源としてのステッピングモータが設けられており、該ステッピングモータの駆動により各リール５４１〜５４３が個別に、すなわちそれぞれ独立して回転駆動される。リール装置５０３には、その他の構成として、各リール５４１〜５４３の回転位置を検出するためのリールインデックスセンサ（回転位置検出センサ）が設置されている。また、各リール５４１〜５４３の内周側には、蛍光ランプ等よりなるバックライト（後方発光手段）が設けられており、このバックライトにより、リール外周面に付された各図柄が後方より明るく照らされるようになっている。バックライトの発光によって、リール外周面に付された各図柄の視認性の向上や、遊技に際し補助的な演出の多様化を図ることができる。
【０１１４】
（主制御装置５０５等の説明）
次に、主制御装置５０５やサブ制御装置５０６等の構成を、図１３等を用いて説明する。
【０１１５】
主制御装置５０５は、ＣＰＵやメモリ等の電子部品が実装された主制御基板５６１と、この主制御基板５６１を収容するための略直方体形状のケース部材（ケース台５６２及びケースカバー５６３）と、主制御基板５６１を収容したケース部材が取り付けられる取付台５６４とから構成されている。ケース台５６２及びケースカバー５６３は透明な合成樹脂材料にて成形されており、この透明なケース台５６２及びケースカバー５６３によってその内部の主制御基板５６１が視認可能となっている。
【０１１６】
なお、ケース台５６２及びケースカバー５６３には、これら各部材を連結する封印手段としての図示しない封印部（いわゆるカシメ部）が設けられている。封印部は、破壊等を伴うことでケース部材を開封可能とするものであり、開封後には破壊などがなされた部材が開封履歴として残るため、その開封履歴によって開封事実の確認が可能となっている。これにより、仮にケース部材が不正に開封された場合などにおいては、封印部の確認によって不正行為の発見が可能となっている。
【０１１７】
サブ制御装置５０６は、ＣＰＵやメモリ等の電子部品が実装されたサブ制御基板５７１と、このサブ制御基板５７１を収容するための略直方体形状のケース部材（ケース台５７２及びケースカバー５７３）とから構成されている。ケース台５７２及びケースカバー５７３は透明な合成樹脂材料にて成形されており、この透明なケース台５７２及びケースカバー５７３によってその内部のサブ制御基板５７１が視認可能となっている。
【０１１８】
液晶表示装置５０４は、液晶パネル５８１と、この液晶パネル５８１を駆動する液晶ドライバ５８２とにより構成されている。
【０１１９】
（遊技盤ブロック６として完成状態の説明）
遊技盤ブロック６の完成状態を図１２を用いて説明する。遊技盤ブロック６としては、前面枠体５０１とベース板５０２とを一体化させたものに、背後からリール装置５０３が取り付けられ、リール装置５０３の上方に液晶表示装置５０４が取り付けられている。また、リール装置５０３の側方に主制御装置５０５が取り付けられるとともに、同リール装置５０３の上方にサブ制御装置５０６が取り付けられている。
【０１２０】
遊技盤ブロック６において、前面枠体５０１の上側表示窓５１３からは液晶パネル５８１のパネル面全体が視認できる。また，同前面枠体５０１の下側表示窓５１４からはリール装置５０３の各リール５４１〜５４３の一部が視認できる。このとき、各リール５４１〜５４３の外周に付された多数（本実施の形態では２１個）の図柄のうち、リール毎に３つずつの図柄が下側表示窓５１４を通じて視認できるようになっている。
【０１２１】
なお、遊技盤ブロック６には、図示省略の情報表示部が備えられている。この情報表示部（図示省略）には、小役成立時における獲得球数を表示する獲得球数表示部（図示省略）と、ビッグボーナスやレギュラーボーナス等の特別遊技状態の際に例えば残りのゲーム数等を表示するゲーム数表示部（図示省略）とが設けられている。これら獲得球数表示部（図示省略）やゲーム数表示部（図示省略）は、７セグメント表示器によって構成されているが、液晶表示器等によって代替することは当然可能である。
【０１２２】
（払出ブロック７の説明）
次に、払出ブロック７について図１５，図１６を用いて説明する。図１５は払出ブロック７の斜視図、図１６は払出ブロック７の背面図である。
【０１２３】
払出ブロック７は、合成樹脂材料にて一体成形された裏カバー部材６０１と、遊技球を払い出すための払出機構６０２とが一体化されることにより構成されている。裏カバー部材６０１は、略平坦状のベース部６０３と、後方（遊技機１の後方）に突出し略直方体形状をなす保護カバー部６０４とを有する。保護カバー部６０４は左右及び上下の各面と背面とが閉鎖された形状をなし、少なくとも遊技盤ブロック６の背面側構成（主制御装置５０５とリール装置５０３とサブ制御装置５０６）を収容するのに十分な大きさを有する。なお、保護カバー部６０４の背面には、図１５，図１６に示すように、多数の通気孔が設けられている。
【０１２４】
払出機構６０２は、保護カバー部６０４を迂回するようにして裏カバー部材６０１のべース部６０３に取り付けられている。すなわち、裏カバー部材６０１の最上部には上方に開口したタンク６０５が設けられており、タンク６０５には遊技ホールの島設備から供給される遊技球が逐次補給される。タンク６０５の下方には、例えば横方向２列（２条）の球通路を有し下流側に向けて緩やかに傾斜するタンクレール６０６が連結され、タンクレール６０６の下流側には上下方向に延びるケースレール６０７が連結されている。
【０１２５】
払出装置６０８はケースレール６０７の最下流部に設けられ、受皿ブロック１０に設けた払出制御装置１５７からの制御信号により払出ソレノイド６０９が駆動されて必要個数の遊技球の払出が適宜行われる。払出装置６０８より払い出された遊技球は払出通路〈図示省略〉等を通じて上皿１５１に供給される。図示は省略するが、ケースレール６０７の上流部には、タンク６０５やタンクレール６０６から供給される遊技球の有無を検出するタンク球無しセンサが設けられている。また、払出装置６０８には、遊技球を払い出す払出ソレノイド６０９と、その払い出される遊技球数をカウントする払出カウントスイッチとが設けられている。
【０１２６】
払出機構６０２には、払出制御装置１５７から払出装置６０８への払出指令の信号を中継する払出中継基板６１１が設置されている。その他、払出機構６０２には、外部より主電源を取り込むための電源スイッチ基板（図示省略）が設置されている。
【０１２７】
払出機構６０２におけるタンクや通路部材類はいずれも導電性を有する合成樹脂材料、例えば導電性ポリカーボネート樹脂にて成形され、その一部にてアースされている。これにより、遊技球の帯電によるノイズの発生が抑制されるようになっている。
【０１２８】
裏カバー部材６０１には、図１５に示すように、背面側から見て右端部に上下一対の支軸６２１ａ，６２１ｂが設けられている。この支軸６２１ａ，６２１ｂは、払出ブロック７をドアブロック４に回動可能に支持するための支持手段を構成するものであり、この支軸６２１ａ，６２１ｂがドアブロック４に設けられた軸金具１１０，１１１の軸受け部１１０ａ，１１１ｂの軸孔（図１０等参照）に差し入れられるようになっている。なお、ドアブロック４側の軸受け部１１０ａ，１１１ｂと払出ブロック７側の支軸６２１ａ，６２１ｂとが図６に示す「払出ブロック７用の支持手段Ｍ３，Ｍ４」に相当する。
【０１２９】
また、図３に示すように、払出ブロック７の裏面視で右上隅箇所と下端中央箇所（図示省略）の箇所には、遊技主要ブロック５をドアブロック４に装着した状態で固定するための装着固定手段（ロック部材６２７）がそれぞれ設けられている。つまり、図３に示すように、遊技機本体部３が外枠２に対して片開きされた状態において、両方のロック部材６２７を解除することで、ドアブロック４の鉤金具１３７との固定が解除され、ロック部材６２７による遊技主要ブロック５のドアブロック４への固定を解除することができるので、後述するように施錠装置１２０に操作キーを挿入し、反時計周りに回動させることで、遊技主要ブロック５をドアブロック４に対して片開き状態とすることができる。つまり、予めロック部材６２７を解除し、操作キーを時計周りに回動操作して施錠装置１２０による遊技主要ブロック５のドアブロック４への施錠を解除することで、遊技主要ブロック５をドアブロック４に対して片開き状態とすることができる。
【０１３０】
なお、この片開き状態において遊技主要ブロック５を高さ方向に上げることで、遊技盤ブロック６の支軸５３４ａ，５３４ｂのドアブロック４の軸受け部１１０ｂ，１１１ａへの軸支が解除され、かつ、裏カバー部材６０１の支軸６２１ａ，６２１ｂのドアブロック４の軸受け部１１０ａ，１１１ｂへの軸支が解除され、遊技主要ブロック５がドアブロック４から取り外しできるようになっている。
【０１３１】
また、図４に示すように、遊技盤ブロック６の裏面視で左上隅と左下隅の箇所には、払出ブロック７を当該遊技盤ブロック６に装着した状態で固定するための装着固定手段（ロック部材６２５）がそれぞれ設けられている。つまり、図４に示すように、遊技主要ブロック５がドアブロック４に対して片開きされた状態において、ロック部材６２５を解除することで、払出ブロック７の鉤金具６２６との固定が解除され、払出ブロック７を遊技盤ブロック６に対して片開き状態とすることができる。
【０１３２】
なお、この片開き状態において払出ブロック７を高さ方向に上げることで、裏カバー部材６０１の支軸６２１ａ，６２１ｂのドアブロック４の軸受け部１１０ａ，１１１ｂへの軸支が解除され、払出ブロック７が遊技盤ブロック６から取り外しできるようになっている。また、払出ブロック７を遊技盤ブロック６に対して閉じた状態にしてロック部材６２５でロックする、つまりロック部材６２５を鉤金具６２６に係止させることで、払出ブロック７を遊技盤ブロック６に装着した状態で固定することができる。
【０１３３】
次に、本実施例の遊技機１のさらなる特徴部分の構成について、図１７、図１８を用いて説明する。
【０１３４】
図１７は、カバー部材６４０が開状態のときの払出ブロック７の下部部分を前面側から見た一部破断斜視図である。図１８は、カバー部材６４０が閉状態のときの払出ブロック７の下部部分を前面側から見た一部破断斜視図である。図１９は、カバー部材６４０が閉状態のときの一部破断断面図である。
【０１３５】
本実施例の遊技機１は、前述したように、外枠２と、この外枠２の前面側の開口を塞ぐように設けられて当該外枠２に対して開閉可能に支持されるドアブロック４と、このドアブロック４の裏面側に設けられて当該ドアブロック４に対して開閉可能に支持される遊技主要ブロック５と、ドアブロック４および遊技主要ブロック５を閉状態に施錠する施錠装置１２０と、を備えている。
【０１３６】
施錠装置１２０は、図１〜図４に示すように、操作キーが挿入される鍵穴１２５ａを備え、この鍵穴１２５ａに挿入された操作キーが第１の方向（例えば時計方向）に回動操作されることで遊技機本体部３を解錠するとともに、鍵穴１２５ａに挿入された操作キーが第１の方向とは異なる第２の方向（例えば反時計方向）に回動操作されることで遊技主要ブロック５を解錠するものである。
【０１３７】
外枠２の内部には、図１７に示すように、遊技者に対する遊技球（遊技媒体）の払出し率の設定を変更するための遊技設定キースイッチ６３０を備えている。さらに、外枠２の内部には、図１７，図１８に示すように、遊技設定キースイッチ６３０の少なくともそのキー挿入面６３１を覆うカバー部材６４０を備えている。
【０１３８】
具体的には、遊技機１は、図４を用いて前述したように、ドアブロック４の裏面側に設けられて当該ドアブロック４に対して開閉可能に支持される遊技主要ブロック５を備え、遊技主要ブロック５は、ドアブロック４と対向する側にキー挿入面６３１が存するように遊技設定キースイッチ６３０を備えるとともに、ドアブロック４と対向する側にカバー部材６４０を備えている。
【０１３９】
また、遊技設定キースイッチ６３０は、図１７に示すように、そのキー挿入面６３１を、ドアブロック４と対向する方向（遊技機１の前後方向）と直交または略直交する方向（本実施例では右横方向）に向けるように設けられている。
【０１４０】
カバー部材６４０は、図１７，図１９に示すように、キー挿入面６３１から、遊技設定キースイッチ６３０に挿入されるキーのキー長さよりも短い外部位置に壁部材６４１を備えている。つまり、図１９に示すように、キー挿入面６３１から壁部材６４１までの距離ｄ１は、遊技設定キースイッチ６３０に挿入されるキーのキー長さよりも短い距離となっている。
【０１４１】
さらに、カバー部材６４０は、図１７，図１９に示すように、キー挿入面６３１から、遊技設定キースイッチ６３０に挿入されるキーのキー長さよりも長い外部位置に、壁部材６４１とは異なる離隔壁部材６４２をさらに備えている。つまり、図１９に示すように、キー挿入面６３１から離隔壁部材６４２までの距離ｄ２は、遊技設定キースイッチ６３０に挿入されるキーのキー長さよりも長い距離となっている。
【０１４２】
また、カバー部材６４０の壁部材６４１は、図１７，図１９に示すように、その所定箇所であって、かつ、キー挿入面６３１のキー孔が平行投影される箇所に少なくともリブ６４１ａが形成されている。
【０１４３】
また、カバー部材６４０は、ドアブロック４が遊技主要ブロック５に対して開かれた開状態（図４参照）では、図１７，図１８に示すように、キー挿入面６３１を覆う閉状態と、キー挿入面６３１を覆いが解除された開状態とに開閉自在であり、ドアブロック４が遊技主要ブロック５に対して閉じられた閉状態（図３参照）では、ドアブロック４の一部がカバー部材６４０に当接することで、カバー部材６４０の開状態が抑止されるものである。
【０１４４】
具体的には、カバー部材６４０は、図１８に示すように、払出ブロック７の支持部６５０に開閉自在に軸支されており、キー挿入面６３１を覆う閉状態と、キー挿入面６３１を覆いが解除された開状態とに開閉自在となっている。また、図１９に示すように、ドアブロック４が遊技主要ブロック５に対して閉じられた閉状態（図３参照）では、ドアブロック４の一部がカバー部材６４０に当接することで、カバー部材６４０の開状態が抑止されている。
【０１４５】
次に、本実施例の遊技機１のさらなる特徴部分の構成について、図２０〜図３０を用いて説明する。
【０１４６】
図２０は、ドアブロック４の球止めレバー１６０を不許可位置としたままの状態で遊技主要ブロック５を閉じることを示す部分斜視図である。図２１（ａ）〜（ｄ）は、遊技主要ブロック５をドアブロック４に対して閉じる際に不許可位置の球止めレバー１６０がカバー部材６４０に当接して取込許可位置に戻る様子を前方側と後方側とから見た要部斜視図である。図２２は図２１（ａ）の拡大斜視図、図２３は図２１（ｂ）の拡大斜視図、図２４は図２１（ｃ）の拡大斜視図、図２５は図２１（ｄ）の拡大斜視図である。図２６（ａ）〜（ｄ）は、遊技主要ブロック５をドアブロック４に対して閉じる際に不許可位置の球止めレバー１６０がカバー部材６４０に当接して取込許可位置に戻る様子を後方側から見た要部斜視図である。図２７は図２６（ａ）の拡大斜視図、図２８は図２６（ｂ）の拡大斜視図、図２９は図２６（ｃ）の拡大斜視図、図３０は図２６（ｄ）の拡大斜視図である。図３１（ａ）は球止めレバー１６０を取込許可位置とすることに連動して流入規制体１５５が導入通路部１５４から離れるように後退した状態を示す図であり、図３１（ｂ）は球止めレバー１６０を不許可位置とすることに連動して流入規制体１５５が導入通路部１５４に近づくように進出した状態を示す図である。
【０１４７】
また、図２０では、説明の便宜上の理由から、遊技盤ブロック６の図示を省略している。また、図２０〜図２５は、取込ユニット１５３および遊技主要ブロック５を正面斜め方向から見た一部破断図を紙面左側に、取込ユニット１５３および遊技主要ブロック５を後面斜め方向から見た一部破断図を紙面右側に、それぞれ図示している。
【０１４８】
本実施例の遊技機１は、図２０に示すように、外枠２と、この外枠２に対して開閉可能に支持されるドアブロック４と、このドアブロック４の裏面側に設けられて当該ドアブロック４に対して開閉可能に支持される遊技主要ブロック５とを備えている。
【０１４９】
なお、上述したドアブロック４は本発明の本体部材に相当し、上述した遊技主要ブロック５は本発明の扉部材に相当する。
【０１５０】
また、ドアブロック４は、図８に示すように、その裏面側（遊技主要ブロック５と対向する側）において、所定数の遊技媒体（本実施例では遊技球）を取り込む取込ユニット１５３を着脱自在としたものである。
【０１５１】
さらに、ドアブロック４は、図２０に示すように、取込ユニット１５３への遊技球の流入の可否を操作する球止めレバー１６０を備え、かつ、この球止めレバー１６０を図２１（ｄ），図２６（ｄ）に示す取込許可位置とすることで取込ユニット１５３に遊技球が流入可能な状態となり、かつ、球止めレバー１６０を図２１（ａ），図２６（ａ）に示す不許可位置とすることで取込ユニット１５３を取り外す際の当該取込ユニット１５３への遊技球の流入を阻止する状態となる球止め機構１７０を備えている。この球止め機構１７０の具体的な構成については後述する。
【０１５２】
遊技主要ブロック５は、図２０に示すように、当該遊技主要ブロック５を閉状態とする際に不許可位置の球止めレバー１６０に接触して当該球止めレバー１６０を取込許可位置に戻すように案内する案内部材１９０を備えている。
【０１５３】
案内部材１９０は、図２０に示すように、遊技主要ブロック５を閉状態とする際に不許可位置の球止めレバー１６０に接触して当該球止めレバー１６０を取込許可位置に戻すように案内する接触案内面６４５を備えている。
【０１５４】
具体的には、図１７，図１８に示すように、遊技に関する内部状態を可変設定する（実施例では遊技者に対する遊技球の払出し率の設定を変更する）ための遊技設定キースイッチ６３０と、この遊技設定キースイッチ６３０の少なくともその操作面（キー挿入面６３１）を覆うカバー部材６４０とを備えている。案内部材１９０は、カバー部材６４０に接触案内面６４５を備えたものであり、遊技主要ブロック５を閉状態とする際に不許可位置の球止めレバー１６０に接触案内面６４５が接触して当該球止めレバー１６０を取込許可位置に戻すように案内するものである。
【０１５５】
カバー部材６４０は、遊技主要ブロック５がドアブロック４に対して開いた状態（例えば図２０に示した状態）において、図１７に示すように、遊技設定キースイッチ６３０に対して開閉自在となっている。また、カバー部材６４０の一部は、図１９に示すように、ドアブロック４を閉状態とした状態において、取込許可位置の球止めレバー１６０に接触している。
【０１５６】
球止めレバー１６０は、図２０に示すように、正面視で長手形状であり、その基端側の所定箇所を回動軸心Ｊ１とし、その基端側とは反対の先端側が回動軸心Ｊ１を中心として回動するように軸支されたものであり、図２１（ａ），図２６（ａ）に示す不許可位置としての先端側が所定方向（実施例では上方）を向いた第１回動位置と、遊技主要ブロック５を閉状態とする際にカバー部材６４０の接触案内面６４５に接触することで第１回動位置から所定角度（実施例では８０度程度）だけ先端側が回動して横方向を向いた図２１（ｄ），図２６（ｄ）に示す取込許可位置としての第２回動位置とに可変するものである。
【０１５７】
また、取込ユニット１５３は、図２２に示すように、その上部に、遊技球が導入される導入通路部１５４を備えている。また、取込ユニット１５３の上部には、図２０に示すように、導入通路部１５４（図２２参照）が視認可能な透明カバー１５８を備えている。つまり、透明カバー１５８を通して取込ユニット１５３の導入通路部１５４が視認可能となっている。
【０１５８】
ここで、球止め機構１７０の具体的な構成について説明する。球止め機構１７０は、球止めレバー１６０を図２１（ｄ），図２６（ｄ）に示す取込許可位置とする、つまり、図２５に示す取込許可位置とすることで、球止めレバー１６０の回動に伴って連動する流入規制体１５５が導入通路部１５４から離れるように後退し（図２５の二点鎖線矢印および図３１（ａ）の二点鎖線矢印参照）、図３１（ａ）に示すように、透明カバー１５８と流入規制体１５５との間に遊技球が導入通路部１５４へ進出可能な通路空間が生じ、取込ユニット１５３に遊技球が流入可能な状態となる。
【０１５９】
また、球止め機構１７０は、前記とは逆に、球止めレバー１６０を図２１（ａ），図２６（ａ）に示す不許可位置とする、つまり、図２２に示す不許可位置とすることで、球止めレバー１６０の回動に伴って連動する流入規制体１５５が導入通路部１５４に近づくように進出し（図２２の二点鎖線矢印および図３１（ｂ）の二点鎖線矢印参照）、図３１（ｂ）に示すように、透明カバー１５８と流入規制体１５５との間が狭くなり、遊技球が導入通路部１５４へ進出不可となり、取込ユニット１５３を取り外す際の当該取込ユニット１５３への遊技球の流入を阻止する状態となる。
【０１６０】
なお、流入規制体１５５は、図２１〜図２５に示すように球止めレバー１６０の回動に伴って進退するのであるが、図２６（ｂ）〜（ｄ）および図２８〜図３０では、流入規制体１５５を図２６（ａ）のままで図示している。
【０１６１】
上述した取込ユニット１５３は本発明の投入装置に相当し、上述した球止めレバー１６０は本発明の操作レバーに相当し、上述した球止め機構１７０は本発明の球止め手段に相当し、上述した案内部材１９０は本発明の案内手段に相当し、上述した遊技設定キースイッチ６３０は本発明の遊技設定操作手段に相当し、上述したキー挿入面６３１は本発明の操作面に相当する。
【０１６２】
ここで、球止めレバー１６０を図２１（ａ），図２６（ａ）に示す不許可位置としたままで、遊技主要ブロック５を閉じても、自動的に球止めレバー１６０が図２１（ｄ），図２６（ｄ）に示す取込許可位置に戻る様子について説明する。
【０１６３】
図２２及び図２７に示すように球止めレバー１６０が不許可位置のままで、遊技主要ブロック５を閉じていくと、図２３に示すように球止めレバー１６０の先端側の一片側１６０ａがカバー部材６４０の急勾配の接触案内面６４５が接触することで、起立姿勢の球止めレバー１６０が二点鎖線矢印方向にやや回動し、図２４に示すように球止めレバー１６０の先端側の一片側１６０ａがカバー部材６４０の前記よりも緩やかな勾配の接触案内面６４５が接触することで、さらに球止めレバー１６０が二点鎖線矢印方向に回動し（図２４，図２９参照）、図２５及び図３０に示すように球止めレバー１６０がカバー部材６４０の接触案内面６４５への接触が解放される程度に回動すると、この球止めレバー１６０が取込許可位置に戻っていることがわかる。
【０１６４】
また、球止めレバー１６０の基端側の円形面１６０ｂ（図２２参照）は、カバー部材６４０の受け面６４６（図２２参照）に当接している。つまり、図１９に示すように、ドアブロック４が遊技主要ブロック５に対して閉じられた閉状態（図３参照）では、ドアブロック４の一部（球止めレバー１６０の基端側の円形面１６０ｂ）がカバー部材６４０の受け面６４６に当接することで、カバー部材６４０の開状態が抑止されている。
【０１６５】
上述したように、本実施例の遊技機１によれば、ドアブロック４と、このドアブロック４の裏面側で当該ドアブロック４に対して開閉可能に支持される遊技主要ブロック５とを備え、ドアブロック４は、その裏面側において、所定数の遊技球を取り込む取込ユニット１５３を着脱自在としたものであり、さらに、ドアブロック４は、取込ユニット１５３への遊技球の流入の可否を操作する球止めレバー１６０を備え、この球止めレバー１６０を取込許可位置とすることで取込ユニット１５３に遊技球が流入可能な状態となり、かつ、球止めレバー１６０を不許可位置とすることで取込ユニット１５３を取り外す際の取込ユニット１５３への遊技球の流入を阻止する状態となる球止め機構１７０を備え、遊技主要ブロック５は、当該遊技主要ブロック５を閉状態とする際に不許可位置の球止めレバー１６０に接触して当該球止めレバー１６０を取込許可位置に戻すように案内する案内部材１９０を備えている。
【０１６６】
したがって、取込ユニット１５３を取り外す際には、球止め機構１７０の球止めレバー１６０を不許可位置に変更操作することにより、取込ユニット１５３内への遊技球の流入（遊技球のこぼれ落ち）がこの球止め機構１７０によって抑止され、遊技球がこぼれ落ちないようにして取込ユニット１５３を取り外すことができる。また、取込ユニット１５３を正規に取り付けたが球止めレバー１６０を取込許可位置に戻し忘れた場合であっても、案内部材１９０は、遊技主要ブロック５を閉状態とする際に不許可位置の球止めレバー１６０に接触して当該球止めレバー１６０を取込許可位置に戻すように案内するので、戻し忘れた球止めレバー１６０を自動的に取込許可位置に復帰させることができ、取込ユニット１５３に遊技球が流入可能な状態に自動的に復帰できる。
【０１６７】
その結果、遊技球がこぼれ落ちることなく取込ユニット１５３を取り外すことができ、かつ、球止めレバー１６０の戻し忘れによる二次的作業の発生を防止できる遊技機１を提供することができる。
【０１６８】
また、案内部材１９０は、遊技主要ブロック５を閉状態とする際に不許可位置の球止めレバー１６０に接触して当該球止めレバー１６０を取込許可位置に戻すように案内する接触案内面６４５を備えているので、遊技主要ブロック５を閉状態とする際に、不許可位置の球止めレバー１６０が案内部材１９０の接触案内面６４５に接触して当該球止めレバー１６０を取込許可位置に戻すように案内され、遊技主要ブロック５を閉状態とする際に、不許可位置の球止めレバー１６０を案内部材１９０の接触案内面６４５に接触させて取込許可位置に戻すように案内する構成を実現でき、球止めレバー１６０の戻し忘れによる二次的作業の発生を防止できる遊技機を提供することができる。
【０１６９】
また、遊技主要ブロック５は、ドアブロック４の裏面側の取込ユニット１５３を少なくとも覆っているので、不正行為者は取込ユニット１５３に直接に触れることができず、取込ユニット１５３への不正行為を低減することができる。
【０１７０】
また、遊技主要ブロック５を閉状態とする際に、不許可位置の球止めレバー１６０が、遊技設定キースイッチ６３０のキー挿入面６３１を覆うカバー部材６４０の接触案内面６４５に接触して当該球止めレバー１６０を取込許可位置に戻すように案内されるので、遊技主要ブロック５を閉状態とする際に不許可位置の球止めレバー１６０をカバー部材６４０の接触案内面６４５に接触させて取込許可位置に戻すように案内する構成を、遊技設定キースイッチ６３０のカバー部材６４０を利用して実現することができ、戻し忘れた球止めレバー１６０を復帰させる専用品を別途設けるなどの必要がなく、装置構成を複雑化させることなく簡易な構成で実現することができる。
【０１７１】
また、遊技設定キースイッチ６３０のキー挿入面６３１がカバー部材６４０で覆われているので、このカバー部材６４０を排除しない限り、キー挿入面６３１にアクセスできず、一定の不正抑止効果がある。さらに、遊技設定キースイッチ６３０のキー挿入面６３１を、ドアブロック４と対向する方向と直交または略直交する方向（例えば横向き）としているので、不正な操作キーを外枠２とドアブロック４との隙間から挿入したとしても、その挿入方向（つまりドアブロック４の厚み方向）とは直交または略直交する方向に向くキー挿入面６３１に向けて不正な操作キーを進めて遊技設定キースイッチ６３０に挿入することは困難である。その結果、遊技設定キースイッチ６３０に対する不正行為を困難とすることができる遊技機を提供することができる。
【０１７２】
また、カバー部材６４０は、遊技主要ブロック５がドアブロック４に対して開いた状態において、遊技設定キースイッチ６３０に対して開閉自在となっている。カバー部材６４０の一部は、遊技主要ブロック５を閉状態とした状態において、取込許可位置の球止めレバー１６０に接触しているので、遊技主要ブロック５を閉状態とした状態において不正物を挿し入れてカバー部材６４０を不正に開いた状態とするような不正行為を防止でき、不正抑止効果がある。
【０１７３】
また、球止めレバー１６０は、正面視で長手形状であり、その基端側の所定箇所を回動軸心Ｊ１とし、基端側とは反対の先端側が回動軸心Ｊ１を中心として回動するように軸支されたものであり、不許可位置としての先端側が所定方向を向いた第１回動位置と、遊技主要ブロック５を閉状態とする際にカバー部材６４０の接触案内面６４５に接触することで第１回動位置から所定角度だけ先端側が回動した取込許可位置としての第２回動位置とに可変するものである。したがって、遊技主要ブロック５を閉状態とする際に、不許可位置の球止めレバー１６０が、遊技設定キースイッチ６３０のキー挿入面６３１を覆うカバー部材６４０の接触案内面６４５に接触して当該球止めレバー１６０を取込許可位置に戻すように回動案内されるので、遊技主要ブロック５を閉状態とする際に不許可位置の球止めレバー１６０をカバー部材６４０の接触案内面６４５に接触させて取込許可位置に戻すように回動案内する構成を、遊技設定キースイッチ６３０のカバー部材６４０を利用して実現することができ、戻し忘れた球止めレバー１６０を復帰させる専用品を別途設けるなどの必要がなく、装置構成を複雑化させることなく簡易な構成で実現することができる。
【０１７４】
また、取込ユニット１５３は、その上部に、遊技球が導入される導入通路部１５４を備えている。取込ユニット１５３の上部には、導入通路部１５４が視認可能な透明カバー１５８を備えている。したがって、取込ユニット１５３の導入案内部の汚れ等を、透明カバー１５８を通して目視確認できる。つまり、取込ユニット１５３を取り外すことなく、当該取込ユニット１５３の導入案内部を目視確認することができ、取込ユニット１５３のメンテナンス時期を知ることができる。また、透明カバー１５８を外すことで、取込ユニット１５３の導入案内部を清掃することができる。
【０１７５】
また、カバー部材６４０は、遊技設定キースイッチ６３０のキー挿入面６３１から、当該遊技設定キースイッチ６３０に挿入されるキーのキー長さよりも短い外部位置に壁部材６４１を備えているので、この壁部材６４１を排除しない限り、キー挿入面６３１にアクセスできないので、一定の不正抑止効果がある。例えば、操作キーは、通常、鍵穴に挿入されるキー部（鍵部）と、人手に把持される把持部とを備えており、キー部に比して把持部の方が大きくなっているため、操作キーを遊技設定キースイッチ６３０のキー挿入面６３１に不正に挿入するためには、壁部材６４１がキー挿入面６３１に近い（キー長さよりも短い間隔である）ことから、壁部材６４１を操作キーの把持部が入る大きさの孔を不正に開けなければならず、キー部の大きさよりも大きい、把持部が入る大きさの孔を開けるのに手間が掛かり、不正抑止効果がある。
【０１７６】
また、カバー部材６４０は、遊技設定キースイッチ６３０のキー挿入面６３１から、当該遊技設定キースイッチ６３０に挿入されるキーのキー長さよりも長い外部位置に、壁部材６４１とは異なる離隔壁部材６４２をさらに備えているので、この離隔壁部材６４２を排除し、かつ、キー挿入面６３１に近い壁部材６４１を排除しない限り、キー挿入面６３１にアクセスできないので、さらなる不正抑止効果がある。例えば、操作キーを遊技設定キースイッチ６３０のキー挿入面６３１に不正に挿入するためには、離隔壁部材６４２に操作キー全体が入る程度の孔を不正に開ける必要があるし、操作キーは、通常、鍵穴に挿入されるキー部（鍵部）と、人手に把持される把持部とを備えており、キー部に比して把持部の方が大きくなっているため、壁部材６４１がキー挿入面６３１に近い（キー長さよりも短い間隔である）ことから、壁部材６４１を操作キーの把持部が入る大きさの孔を不正に開けなければならず、これらの孔を開けるのに手間が掛かるし、離隔壁部材６４２に不正に開けた孔から不正な操作キー全体を入れて、さらに壁部材６４１に不正に開けた孔を通してキー挿入面６３１の鍵穴（キー穴）に挿入することは困難であり、不正抑止効果がある。
【０１７７】
また、カバー部材６４０の壁部材６４１は、その所定箇所であって、かつ、キー挿入面６３１のキー孔が平行投影される箇所に少なくともリブ６４１ａが形成されているので、単に平板状の壁部材とした場合に比べてリブ６４１ａを有する分だけ強度をもたせることができる。つまり、熱した鉄線等を用いて壁部材６４１でのキー挿入面６３１箇所を熱で溶かそうとしても、リブ６４１ａが存在する分だけ溶かすのに時間がかかるし、何らかの部材を押し当てて破壊しようとしても、リブ６４１ａが存在することで簡単には壊れないようにでき、キー挿入面６３１に近い壁部材６４１を排除するのに非常に手間がかかり、キー挿入面６３１にアクセスし辛くなるので、さらなる不正抑止効果がある。
【０１７８】
また、カバー部材６４０は、ドアブロック４が遊技主要ブロック５に対して開かれた開状態（図４参照）では、図１７，図１８に示すように、キー挿入面６３１を覆う閉状態と、キー挿入面６３１を覆いが解除された開状態とに開閉自在であり、ドアブロック４が遊技主要ブロック５に対して閉じられた閉状態（図３参照）では、ドアブロック４がカバー部材６４０に近接することで、カバー部材６４０の開状態が抑止されるので、遊技場関係者が遊技設定キースイッチ６３０を変更したい場合には、ドアブロック４を遊技主要ブロック５に対して開いた開状態にし、カバー部材６４０を開状態にしてキーを挿入することができるし、ドアブロック４を遊技主要ブロック５に対して閉じた閉状態としているときは、カバー部材６４０が開状態にできないので、カバー部材６４０を不正に開状態にするという不正行為を低減できる。
【０１７９】
また、遊技主要ブロック５は、ドアブロック４の裏面側で当該ドアブロック４に対して開閉可能に支持されており、ドアブロック４と対向する側にキー挿入面６３１が存するように遊技設定キースイッチ６３０を備えるとともに、ドアブロック４と対向する側にカバー部材６４０を備えているので、このような遊技主要ブロック５においても、遊技設定キースイッチ６３０に対する不正行為を困難とすることができる。
【０１８０】
この発明は、上記実施形態に限られることはなく、下記のように変形実施することができる。
【０１８１】
（１）上述した実施例では、ドアブロック４の裏面側に取込ユニット１５３を備え、遊技主要ブロック５を閉じる際に、取込ユニット１５３の球止めレバー１６０を、遊技主要ブロック５のカバー部材６４０の接触案内面６４５に当接させて取込許可位置に案内する構成を例に挙げて説明しているが、以下のような構成を採用してもよい。
【０１８２】
つまり、本体枠（例えば、内枠や外枠など）と、この本体枠に対して開閉可能に支持される扉部材（ガラス枠や前面扉など）と、を備えた遊技機において、前記扉部材は、その裏面側において、所定数の遊技媒体（例えば遊技球）を取り込む取込ユニット１５３を着脱自在としたものであり、さらに、前記扉部材は、取込ユニット１５３への遊技球の流入の可否を操作する球止めレバー１６０を備え、かつ、球止めレバー１６０を取込許可位置とすることで取込ユニット１５３に遊技球が流入可能な状態となり、かつ、球止めレバー１６０を不許可位置とすることで取込ユニット１５３を取り外す際の取込ユニット１５３への遊技球の流入を阻止する状態となる球止め機構１７０を備え、前記本体枠は、前記扉部材を閉状態とする際に前記不許可位置の球止めレバー１６０に接触して当該球止めレバー１６０を前記取込許可位置に戻すように案内する案内手段（例えば、案内部材１９０）を備えている構成が挙げられる。
【０１８３】
（２）上述した実施例では、遊技設定キースイッチ６３０を例に挙げて説明しているが、このような遊技設定キースイッチ６３０以外の構成として、操作面に対して所定の操作を施すことで、遊技に関する内部状態の可変設定ができる遊技設定操作手段などを採用してもよい。
【０１８４】
（３）上述した実施例では、遊技設定キースイッチ６３０をドアブロック４と対向する方向と直交または略直交する方向（例えば横向き）に配置した構成を例に挙げて説明しているが、このような遊技設定キースイッチ６３０がドアブロック４に向く方向（例えば前向き）に向けられ、この遊技設定キースイッチ６３０のキー挿入面６３１を、カバー部材の複数枚の壁部材で覆うような構成としてもよい。
【０１８５】
例えば、カバー部材を、遊技設定操作手段（例えば遊技設定キースイッチ６３０）の操作面（例えばキー挿入面６３１）に対して複数枚の壁部材を対向配置させ、かつ、前記操作面に対向する方向にそれらの壁部材を順番に並べた構造が挙げられる。つまり、カバー部材が二重壁構造や多重壁構造（各壁が間隔を空けて配置されていてもよいし、隣接する壁同士が当接して配置されてもよい）となっている。
【０１８６】
このようにした場合には、カバー部材は、前記遊技設定操作手段の操作面に対して複数枚の壁部材を対向配置させ、かつ、前記操作面に対向する方向にそれらの壁部材を順番に並べた構造としているので、遊技設定操作手段の操作面がカバー部材での２つ以上の壁部材で覆うことができ、この複数枚の壁部材を排除しない限り、操作面にアクセスできないので、一定の不正抑止効果がある。その結果、遊技設定操作手段（例えば遊技設定キースイッチ６３０）に対する不正行為を困難とすることができる遊技機を提供することができる。
【０１８７】
（４）上述した実施例では、本体枠として図３に示すような正面視で矩形状で前後に開口する外枠２を採用しているが、スロットマシンなどの前面側に開口を有する箱状の筐体など、各種の機体、筐体などを採用してもよい。
【０１８８】
（５）上述し実施例では、図１７に示すように、遊技設定キースイッチ６３０のキー挿入面６３１を右横方向に向けるようにしてこの遊技設定キースイッチ６３０を払出ブロック７に配設しているが、左横方向や上方向や下方向に向けるようにしてもよいし、右横方向と上方向との間に位置する各種の右上斜め方向など種々の斜め方向に向けるようにしてもよい。
【０１８９】
（６）上述し実施例では、図１７，図１９に示すように、カバー部材６４０は壁部材６４１と離隔壁部材６４２とを備えたものとしているが、以下のようなカバー部材６４０を採用してもよい。
【０１９０】
つまり、この変形例のカバー部材６４０は、図３２に示すように、壁部材６４１と離隔壁部材６４２との間に、複数枚（図３２では３枚）の区画壁部材６４３が形成されているものである。なお、壁部材６４１と離隔壁部材６４２との間に、単一（つまり、一枚）の区画壁部材６４３が形成されたカバー部材６４０としてもよい。
【０１９１】
この場合には、カバー部材６４０は、壁部材６４１と離隔壁部材６４２との間に、単一または複数枚の区画壁部材６４３が形成されているので、キー挿入面６３１に近い壁部材６４１と、それから離れた離隔壁部材６４２と、単一または複数枚の区画壁部材６４３とを排除しない限り、キー挿入面６３１にアクセスできないし、これらの壁部材６４１〜６４３の排除が非常に手間であるので、さらなる不正抑止効果がある。例えば、離隔壁部材６４２を熱した不正具で溶かす過程でこの不正具が冷め、再び熱した不正具で離隔壁部材６４２や次の単一または複数枚の区画壁部材６４３を溶かさなければならず、それらの不正過程途中で不正具が冷えるなど、非常に手間が掛かる状態にできるので、不正抑止効果がある。
【０１９２】
また、離隔壁部材６４２または区画壁部材６４３は、その所定箇所であって、かつ、キー挿入面６３１のキー孔が平行投影される箇所に少なくともリブ（例えばリブ６４１ａのようなもの）が形成されるようにしてもよい。
【０１９３】
この場合には、カバー部材６４０の離隔壁部材６４２または区画壁部材６４３は、その所定箇所であって、かつ、キー挿入面６３１のキー孔が平行投影される箇所に少なくともリブが形成されているので、単に平板状の離隔壁部材または区画壁部材６４３とした場合に比べてリブを有する分だけ強度をもたせることができる。つまり、熱した鉄線等を用いて離隔壁部材６４２または区画壁部材６４３でのキー挿入面６３１に対応する箇所を熱で溶かそうとしても、リブが存在する分だけ溶かすのに時間がかかるし、何らかの部材を押し当てて破壊しようとしても、リブが存在することで簡単には壊れないようにでき、離隔壁部材６４２または区画壁部材６４３を排除するのに非常に手間がかかり、キー挿入面６３１にアクセスし辛くなるので、さらなる不正抑止効果がある。
【０１９４】
（７）上述し実施例では、遊技球使用の回胴遊技機を例に挙げて説明してきたが、パチンコ機やスロットマシンやこれらを融合させた遊技機などに適用可能である。
【０１９５】
例えば、スロットマシンなどでは、前面側が開口した箱状の本体筐体の内部に、遊技設定キースイッチ６３０とカバー部材６４０とを備えた構成などが挙げられるし、パチンコ機やこれらを融合させた遊技機などでは、正面視で矩形状で板材を四辺に連結した外枠と、この外枠の前面側に設けられ当該外枠に対して片開き自在な内枠と、この内枠の前面側に設けられ当該内枠に対して片開き自在な前面枠（ガラス枠）とを備え、内枠の前面側や外枠の内方に、遊技設定キースイッチ６３０とカバー部材６４０とを備えた構成などが挙げられる。
【産業上の利用可能性】
【０１９６】
以上のように、この発明は、遊技球を使用するパチンコ機、メダルを使用するスロットマシン及び遊技球使用の回胴遊技機などの各種の遊技機に適している。
【符号の説明】
【０１９７】
１  …  遊技機
２  …  外枠
４  …  ドアブロック（本体部材）
５  …  遊技主要ブロック（扉部材）
１５３  …  取込ユニット（投入装置）
１６０  …  球止めレバー（操作レバー）
１７０  …  球止め機構（球止め手段）
１９０  …  案内部材（案内手段）
６３０  …  遊技設定キースイッチ（遊技設定操作手段）
６３１  …  キー挿入面（操作面）
６４０  …  カバー部材
６４５  …  接触案内面
【図１】
2015006468.tif 000003
【図２】
2015006468.tif 000004
【図３】
2015006468.tif 000005
【図４】
2015006468.tif 000006
【図５】
2015006468.tif 000007
【図６】
2015006468.tif 000008
【図７】
2015006468.tif 000009
【図８】
2015006468.tif 000010
【図９】
2015006468.tif 000011
【図１０】
2015006468.tif 000012
【図１１】
2015006468.tif 000013
【図１２】
2015006468.tif 000014
【図１３】
2015006468.tif 000015
【図１４】
2015006468.tif 000016
【図１５】
2015006468.tif 000017
【図１６】
2015006468.tif 000018
【図１７】
2015006468.tif 000019
【図１８】
2015006468.tif 000020
【図１９】
2015006468.tif 000021
【図２０】
2015006468.tif 000022
【図２１】
2015006468.tif 000023
【図２２】
2015006468.tif 000024
【図２３】
2015006468.tif 000025
【図２４】
2015006468.tif 000026
【図２５】
2015006468.tif 000027
【図２６】
2015006468.tif 000028
【図２７】
2015006468.tif 000029
【図２８】
2015006468.tif 000030
【図２９】
2015006468.tif 000031
【図３０】
2015006468.tif 000032
【図３１】
2015006468.tif 000033
【図３２】
2015006468.tif 000034